(57)【要約】【課題】産業廃棄物の発生量が少なく、漏水が発生し難く、立ち上がりおよび入り隅周辺の納まりがよく、施工性に優れる防水シートの改修方法を提供する。【解決手段】接着剤または機械的手段を介して、下地１上に設置された防水シート２を改修する防水シートの改修方法であって、下地１上に設置された防水シート２を部分的に切り取り、下地１を部分的に露出させる工程と、露出させた下地１上および露出させた下地１の周辺の防水シート２上に、プライマー３を塗布する工程と、プライマー３を介して、露出させた下地１上および露出させた下地１の周辺の防水シート２上に、第１の塗膜防水材４を塗布する工程と、を有する防水シートの改修方法。【選択図】図１
2015229905.tif 000002
【特許請求の範囲】
【請求項１】
接着剤または機械的手段を介して、下地上に設置された防水シートを改修する防水シートの改修方法であって、
前記下地上に設置された防水シートを部分的に切り取り、前記下地を部分的に露出させる工程と、
前記露出させた下地上および前記露出させた下地の周辺の前記防水シート上に、プライマーを塗布する工程と、
前記プライマーを介して、前記露出させた下地上および前記露出させた下地の周辺の前記防水シート上に、第１の塗膜防水材を塗布する工程と、
を有することを特徴とする防水シートの改修方法。
【請求項２】
前記第１の塗膜防水材を塗布する前に、前記露出させた下地および前記露出させた下地の周辺の前記防水シートを覆うように、前記第１の塗膜防水材が浸透可能な補強材を配置する工程を有することを特徴とする請求項１に記載の防水シートの改修方法。
【請求項３】
前記プライマーを塗布した後、前記露出させた下地上に粘着部材を配置する工程を有することを特徴とする請求項１または２に記載の防水シートの改修方法。
【請求項４】
前記防水シートの全面上および前記第１の塗膜防水材からなる塗膜の全面上に、第２の塗膜防水材を塗布する工程を有することを特徴とする請求項１〜３のいずれか１項に記載の防水シートの改修方法。
【発明の詳細な説明】
【技術分野】
【０００１】
本発明は、防水シートの改修方法に関する。
【背景技術】
【０００２】
従来、ビル、マンション、学校などの屋上、ベランダ、開放廊下などの防水には、塩ビシート防水工法が広く用いられている。塩ビシート防水工法としては、塩化ビニル樹脂に、可塑剤、充填剤などを添加し補強繊維を積層して成型した塩ビシートを、接着剤などで下地に貼り付ける密着工法と、前記の塩ビシートをディスク板などで固定する機械固定工法とが挙げられる（例えば、特許文献１参照）。
塩ビシート防水工法の特徴としては、下記のような特徴が挙げられる。
（１）露出防水仕様で軽量のため、構造体への負担を軽減し、防水層のメンテナンスを目視で確認できる。
（２）定期的にトップコートを塗り替える必要がないため、メンテナンスを簡略化できる。
（３）防水保証がトップコートの塗替えなしで１０年間である。
（４）トータルコストを削減できる。
（５）耐候性、耐薬品性、耐摩耗性に優れる。
【先行技術文献】
【特許文献】
【０００３】
【特許文献１】特開２００５−１４６７７４号公報
【発明の概要】
【発明が解決しようとする課題】
【０００４】
従来、塩ビシート防水を、塩ビシート防水工法で改修する場合、以下のような課題があった。
密着工法で改修する場合、既設の塩ビシートを撤去して、下地を修正する必要がある。そのため、工期が長い上に、産業廃棄物（塩ビシート等）が発生する。よって、密着工法による改修は現実的ではない。
一方、機械固定工法で改修する場合、既設の塩ビシートの上に、新規の塩ビシートを設置した後、両方の塩ビシートの厚み方向に対して、ドリルで穿孔し、円盤状または帯状の板を介してリベットにより、下地に対して塩ビシートを点状に固定する。しかしながら、機械固定工法では、（１）穿孔時に騒音や振動が発生するため、建物の居住者（特に最上階）に悪影響を及ぼすことがある、（２）既設の防水層を穿孔するため、作業途中の急な降雨により漏水が発生するおそれがある、（３）機械固定工法で設置された塩ビシート防水を、再度、機械固定工法で改修した場合、塩ビシートの立ち上がりおよび入り隅周辺の納まりが困難である、という課題があった。
【０００５】
本発明は、上記事情に鑑みてなされたものであって、産業廃棄物の発生量が少なく、漏水が発生し難く、立ち上がりおよび入り隅周辺の納まりがよく、施工性に優れる防水シートの改修方法を提供することを目的とする。
【課題を解決するための手段】
【０００６】
本発明の防水シートの改修方法は、接着剤または機械的手段を介して、下地上に設置された防水シートを改修する防水シートの改修方法であって、前記下地上に設置された防水シートを部分的に切り取り、前記下地を部分的に露出させる工程と、前記露出させた下地上および前記露出させた下地の周辺の前記防水シート上に、プライマーを塗布する工程と、前記プライマーを介して、前記露出させた下地上および前記露出させた下地の周辺の前記防水シート上に、第１の塗膜防水材を塗布する工程と、を有することを特徴とする。
【０００７】
本発明の防水シートの改修方法において、前記第１の塗膜防水材を塗布する前に、前記露出させた下地および前記露出させた下地の周辺の前記防水シートを覆うように、前記第１の塗膜防水材が浸透可能な補強材を配置する工程を有していてもよい。
【０００８】
本発明の防水シートの改修方法において、前記プライマーを塗布した後、前記露出させた下地上に粘着部材を配置する工程を有していてもよい。
【０００９】
本発明の防水シートの改修方法において、前記防水シートの全面上および前記第１の塗膜防水材からなる塗膜の全面上に、第２の塗膜防水材を塗布する工程を有していてもよい。
【発明の効果】
【００１０】
本発明によれば、産業廃棄物の発生量が少なく、漏水が発生し難く、立ち上がりおよび入り隅周辺の納まりがよく、施工性に優れる防水シートの改修方法を提供することができる。
【図面の簡単な説明】
【００１１】
【図１】本発明の防水シートの改修方法の第１の実施形態を示す概略断面図である。
【図２】本発明の防水シートの改修方法の第２の実施形態を示す概略断面図である。
【発明を実施するための形態】
【００１２】
本発明の防水シートの改修方法の実施の形態について説明する。
なお、本実施の形態は、発明の趣旨をより良く理解させるために具体的に説明するものであり、特に指定のない限り、本発明を限定するものではない。
【００１３】
（１）第１の実施形態
図１は、本実施形態の防水シートの改修方法を示す概略断面図である。
本実施形態の防水シートの改修方法は、接着剤または機械的手段を介して、下地上に設置された防水シートを改修する方法である。すなわち、本実施形態の防水シートの改修方法は、上述の密着工法または機械固定工法により、下地上に設置された防水シートを改修する方法である。
【００１４】
本実施形態の防水シートの改修方法では、まず、下地１の上面１ａ上に設置された防水シート２を部分的に、複数箇所において切り取り、下地１を部分的に露出させる（下地を露出させる工程）。
防水シート２を切り取る大きさ（面積）や、下地１を露出させる間隔は、特に限定されないが、防水シート２の改修が必要な部分の大きさ（面積）などに応じて適宜調整される。
【００１５】
防水シート２を切り取る方法としては、特に限定されないが、各種カッターを用いる方法が挙げられる。
【００１６】
下地１としては、コンクリート、モルタル、アスファルトなどからなるものが挙げられる。
防水シート２としては、一般的な塩ビシート防水工法で用いられる防水用の塩ビシートや、防水用のゴムシートなどが挙げられる。
【００１７】
次いで、露出させた下地１の上面１ａ上、および、露出させた下地１の周辺の防水シート２の上面２ａ上にプライマー３を塗布する（プライマーを塗布する工程）。
プライマー３を塗布する方法は、特に限定されないが、例えば、一般的な塗布法、スプレー法などが用いられる。
【００１８】
プライマー３は、下地１および防水シート２と、後述する第１の塗膜防水材４との接着性を改善（向上）するためのものである。
プライマー３としては、特に限定されないが、例えば、ウレタン系樹脂などが挙げられる。
【００１９】
露出させた下地１の周辺の防水シート２において、プライマー３を塗布する面積は、特に限定されないが、防水シート２の改修が必要な部分の大きさ（面積）、第１の塗膜防水材４によって形成される防水塗膜に必要とされる接着強度などに応じて適宜調整される。
【００２０】
次いで、露出させた下地１の上面１ａおよび露出させた下地１の周辺の防水シート２の上面２ａを覆うように、第１の塗膜防水材４が浸透可能（透過可能）な補強材５を配置する（補強材を配置する工程）。
【００２１】
補強材５は、下地１を露出させることにより、防水シート２に形成された凹みを覆い、その部分の機械的強度を補強するためのものである。
補強材５としては、メッシュ、クロス、不織布、織布などが挙げられる。
補強材５の材料としては、ガラス、炭素、金属などからなる無機繊維、ビニロン、ポリエステル、ナイロンなどからなる合成繊維などが挙げられる。
補強材５の形状（平面視した場合の形状）や大きさ（面積）は、特に限定されないが、露出させた下地１の形状や大きさ（面積）、防水シート２の改修が必要な部分の大きさ（面積）、第１の塗膜防水材４によって形成される防水塗膜に必要とされる接着強度などに応じて適宜調整される。
【００２２】
補強材５の厚さは、特に限定されないが、第１の塗膜防水材４によって形成される防水塗膜に必要とされる接着強度などに応じて適宜調整される。
【００２３】
次いで、プライマー３および補強材５を介して、露出させた下地１の上面１ａ上および露出させた下地１の周辺の防水シート２の上面２ａ上に、第１の塗膜防水材４を塗布する（第１の塗膜防水材を塗布する工程）。
第１の塗膜防水材４を塗布する方法は、特に限定されないが、例えば、一般的な塗布法、スプレー法などが用いられる。
【００２４】
第１の塗膜防水材４としては、硬化して防水塗膜を形成し、その防水塗膜が、ビル、マンション、学校などの屋根や屋上の防水に要求される防水性能を発揮するものであれば、特に限定されないが、ウレタン塗膜防水材などが挙げられる。
【００２５】
第１の塗膜防水材４によって形成される防水塗膜の厚さは、特に限定されないが、その防水塗膜に必要とされる接着強度などに応じて適宜調整される。
【００２６】
次いで、防水シート２の全面上および第１の塗膜防水材４からなる防水塗膜の全面上に、第２の塗膜防水材６を塗布する（第２の塗膜防水材を塗布する工程）。
この工程により、防水シート２の改修が完了する。
第２の塗膜防水材６を塗布する方法は、特に限定されないが、例えば、一般的な塗布法、スプレー法などが用いられる。
【００２７】
なお、防水シート２の全面とは、防水シート２の上面２ａのうち第１の塗膜防水材４からなる防水塗膜が形成されていない部分の全てのことである。また、第１の塗膜防水材４からなる防水塗膜の全面とは、第１の塗膜防水材４からなる防水塗膜における防水シート２と接していない側の面の全てのことである。
【００２８】
第２の塗膜防水材６としては、第１の塗膜防水材４と同様のものが用いられる。
【００２９】
本実施形態の防水シートの改修方法によれば、防水シート２を全面的に撤去することなく、少なくとも改修が必要な部分の周辺の防水シート２を除去すればよいので、防水シート２などの産業廃棄物の発生量を少なくすることができる。
また、防水シートとは異なり、改修後の防水シート２の接続部（ジョイント）がシームレスになるため、漏水の原因となる部位を減らすことができる。
また、塗膜防水材を用いるので、塗膜防水材からなる防水塗膜の立ち上がりおよび入り隅周辺の納まりがよく、施工性を改善（向上）することができる。
さらに、次回の防水シート２の改修においても、同じ方法で塗膜防水材を塗り重ねることができる。
【００３０】
なお、本実施形態では、補強材を配置する工程と、第２の塗膜防水材を塗布する工程とを、必須の工程としたが、本発明はこれに限定されない。本発明にあっては、補強材を配置する工程を省略してもよい。また、防水シートの改修が部分的で十分である場合、第２の塗膜防水材を塗布する工程を省略してもよい。
【００３１】
（２）第２の実施形態
図２は、本実施形態の防水シートの改修方法を示す概略断面図である。
本実施形態の防水シートの改修方法は、接着剤または機械的手段を介して、下地上に設置された防水シートを改修する方法である。すなわち、本実施形態の防水シートの改修方法は、上述の密着工法または機械固定工法により、下地上に設置された防水シートを改修する方法である。
【００３２】
本実施形態の防水シートの改修方法では、まず、第１の下地１１の上面１１ａ上に積層された第２の下地１２の上面１２ａ上に設置された防水シート１３を部分的に、複数箇所において切り取り、第２の下地１２を部分的に露出させる（下地を露出させる工程）。
防水シート１３を切り取る大きさ（面積）や、第２の下地１２を露出させる間隔は、特に限定されないが、防水シート１３の改修が必要な部分の大きさ（面積）などに応じて適宜調整される。
【００３３】
防水シート１３を切り取る方法としては、特に限定されないが、各種カッターを用いる方法が挙げられる。
【００３４】
第１の下地１１としては、コンクリート、モルタルなどからなるものが挙げられる。
第２の下地１２としては、アスファルトなどからなるものが挙げられる。
防水シート１３としては、一般的な塩ビシート防水工法で用いられる防水用の塩ビシートや、防水用のゴムシートなどが挙げられる。
【００３５】
次いで、露出させた第２の下地１２の上面１２ａ上、および、露出させた第２の下地１２の周辺の防水シート１３の上面１３ａ上にプライマー１４を塗布する（プライマーを塗布する工程）。
プライマー１４を塗布する方法は、特に限定されないが、例えば、一般的な塗布法、スプレー法などが用いられる。
【００３６】
プライマー１４は、第２の下地１２、防水シート１３および後述する粘着部材１５と、後述する第１の塗膜防水材１６との接着性を改善（向上）するためのものである。
プライマー１４としては、特に限定されないが、例えば、ウレタン系樹脂などが挙げられる。
【００３７】
露出させた第２の下地１２の周辺の防水シート１３において、プライマー１４を塗布する面積は、特に限定されないが、防水シート１３の改修が必要な部分の大きさ（面積）、第１の塗膜防水材１６によって形成される防水塗膜に必要とされる接着強度などに応じて適宜調整される。
【００３８】
次いで、プライマー１４を介して、露出させた第２の下地１２の上面１２ａ上に、粘着部材１５を配置する（粘着部材を配置する工程）。
すなわち、第２の下地１２を露出させることにより、防水シート１３に形成された凹み内に、粘着部材１５を配置する。
【００３９】
粘着部材１５は、第２の下地１２と、第１の塗膜防水材１６によって形成される防水塗膜との接着性を向上するためのものである。
粘着部材１５としては、露出させた第２の下地１２側と対向する側に粘着層が設けられ、第１の塗膜防水材１６が塗布される側に、第１の塗膜防水材１６との接着性が高い基材が設けられたものが用いられる。
粘着部材１５の粘着層を構成する材料としては、ブチルゴム、改質アスファルトなどが挙げられる。
粘着部材１５の基材を構成する材料としては、ポリエステル、ポリエチレン、ポリプロピレンなどが挙げられる。
【００４０】
粘着部材１５の厚さは、特に限定されないが、防水シート１３の厚さ、すなわち、第２の下地１２を露出させることにより、防水シート１３に形成された凹みの深さに応じて適宜調整される。
【００４１】
次いで、露出させた第２の下地１２の上面１２ａ上に配置した粘着部材１５および露出させた第２の下地１２の周辺の防水シート１３の上面１３ａを覆うように、第１の塗膜防水材１６が浸透可能（透過可能）な補強材１７を配置する（補強材を配置する工程）。
【００４２】
補強材１７は、第２の下地１２を露出させることにより、防水シート１３に形成された凹みを覆い、その部分の機械的強度を補強するためのものである。
補強材１７としては、メッシュ、クロス、不織布、織布などが挙げられる。
補強材１７の材料としては、ガラス、炭素、金属などからなる無機繊維、ビニロン、ポリエステル、ナイロンなどからなる合成繊維などが挙げられる。
補強材１７の形状（平面視した場合の形状）や大きさ（面積）は、特に限定されないが、露出させた下地１の形状や大きさ（面積）、防水シート１３の改修が必要な部分の大きさ（面積）、第１の塗膜防水材１６によって形成される防水塗膜に必要とされる接着強度などに応じて適宜調整される。
【００４３】
補強材１７の厚さは、特に限定されないが、第１の塗膜防水材１６によって形成される防水塗膜に必要とされる接着強度などに応じて適宜調整される。
【００４４】
次いで、プライマー３、粘着部材１５および補強材１７を介して、露出させた第２の下地１２の上面１２ａ上および露出させた第２の下地１２の周辺の防水シート１３の上面１３ａ上に、第１の塗膜防水材１６を塗布する（第１の塗膜防水材を塗布する工程）。
第１の塗膜防水材１６を塗布する方法は、特に限定されないが、例えば、一般的な塗布法、スプレー法などが用いられる。
【００４５】
第１の塗膜防水材１６としては、硬化して防水塗膜を形成し、その防水塗膜が、ビル、マンション、学校などの屋根や屋上の防水に要求される防水性能を発揮するものであれば、特に限定されないが、ウレタン塗膜防水材などが挙げられる。
【００４６】
第１の塗膜防水材１６によって形成される防水塗膜の厚さは、特に限定されないが、その防水塗膜に必要とされる接着強度などに応じて適宜調整される。
【００４７】
次いで、防水シート１３の全面上および第１の塗膜防水材１６からなる防水塗膜の全面上に、第２の塗膜防水材１８を塗布する（第２の塗膜防水材を塗布する工程）。
この工程により、防水シート１３の改修が完了する。
第２の塗膜防水材１８を塗布する方法は、特に限定されないが、例えば、一般的な塗布法、スプレー法などが用いられる。
【００４８】
なお、防水シート１３の全面とは、防水シート１３の上面１３ａのうち第１の塗膜防水材１６からなる防水塗膜が形成されていない部分の全てのことである。また、第１の塗膜防水材１６からなる防水塗膜の全面とは、第１の塗膜防水材１６からなる防水塗膜における防水シート１３と接していない側の面の全てのことである。
【００４９】
第２の塗膜防水材１８としては、第１の塗膜防水材１６と同様のものが用いられる。
【００５０】
本実施形態の防水シートの改修方法によれば、防水シート１３を全面的に撤去することなく、少なくとも改修が必要な部分の周辺の防水シート１３を除去すればよいので、防水シート１３などの産業廃棄物の発生量を少なくすることができる。
また、防水シートとは異なり、改修後の防水シート１３の接続部（ジョイント）がシームレスになるため、漏水の原因となる部位を減らすことができる。
また、塗膜防水材を用いるので、塗膜防水材からなる防水塗膜の立ち上がりおよび入り隅周辺の納まりがよく、施工性を改善（向上）することができる。
さらに、次回の防水シート１３の改修においても、同じ方法で塗膜防水材を塗り重ねることができる。
【００５１】
なお、本実施形態では、補強材を配置する工程と、第２の塗膜防水材を塗布する工程とを、必須の工程としたが、本発明はこれに限定されない。本発明にあっては、補強材を配置する工程を省略してもよい。また、防水シートの改修が部分的で十分である場合、第２の塗膜防水材を塗布する工程を省略してもよい。
【符号の説明】
【００５２】
１・・・下地、２・・・防水シート、３・・・プライマー、４・・・第１の塗膜防水材、５・・・補強材、６・・・第２の塗膜防水材、１１・・・第１の下地、１２・・・第２の下地、１３・・・防水シート、１４・・・プライマー、１５・・・粘着部材、１６・・・第１の塗膜防水材、１７・・・補強材、１８・・・第２の塗膜防水材。
【図１】
2015229905.tif 000003
【図２】
2015229905.tif 000004